(57)【要約】【課題】屋根パネルを支持するブラケットの補強を比較的簡単に行うことができる建物の屋根補強方法を提供する。【解決手段】軒側屋根パネル５１の垂木フレーム材５５の下方を跨ぐようにして、複数の天井小梁２２上に長尺状のジャッキ装置設置用治具１００を架け渡し、その治具１００の上にジャッキ装置１０２を設置し、ジャッキ装置１０２により垂木フレーム材５５を持ち上げ、垂木フレーム材５５を持ち上げている状態で、建物本体１２上における当該垂木フレーム材５５の下方位置に既設のブラケット１６と置き換えて補強用ブラケット７５を取り付け、その後垂木フレーム材５５をジャッキ装置１０２により下降させることで補強用ブラケット７５上に載置させ、その載置状態で垂木フレーム材５５を補強用ブラケット７５に固定する。【選択図】      図１６
2014034812.tif 000002
【特許請求の範囲】
【請求項１】
建物本体と、その建物本体上において軒先に向けて下方傾斜するよう形成された屋根部とを備え、
前記屋根部は、野地板と、その野地板の裏側に設けられたフレーム材とを有する屋根パネルが複数並設されることにより構成されており、
前記複数の屋根パネルのうち、前記建物本体に対して屋外側に張り出して設けられることで軒部を形成する軒側屋根パネルは、前記フレーム材として、前記屋根部の傾斜方向に延びる傾斜フレーム材を有しており、その傾斜フレーム材が前記建物本体の外周部上に設けられたブラケットにより下方から支持された状態で設置されている建物に適用される屋根補強方法であって、
前記傾斜フレーム材の下方を跨ぐようにして、前記建物本体の上端部に設けられた複数の上梁上に長尺状のジャッキ装置設置用治具を架け渡す治具架け渡し工程と、
前記ジャッキ装置設置用治具の上にジャッキ装置を設置するジャッキ装置設置工程と、
前記ジャッキ装置により前記傾斜フレーム材を持ち上げる持ち上げ工程と、
前記ジャッキ装置により前記傾斜フレーム材を持ち上げている状態で、前記建物本体上における当該傾斜フレーム材の下方位置に補強用のブラケットを増設して取り付けるか又は既設のブラケットと置き換えて取り付けるブラケット取付工程と、
前記ブラケット取付工程の後、前記持ち上げ状態にある前記傾斜フレーム材を前記ジャッキ装置により下降させることで前記補強用ブラケット上に載置させ、その載置状態で前記傾斜フレーム材を前記補強用ブラケットに固定するフレーム材固定工程と、
を備えることを特徴とする建物の屋根補強方法。
【請求項２】
前記持ち上げ工程の前に行われ、前記ジャッキ装置設置用治具と上下に対向するように長尺状の屋根側治具を複数の前記傾斜フレーム材の下面に跨がって配置し、その配置状態で前記屋根側治具をそれら各傾斜フレーム材にそれぞれ取り付ける屋根側治具取付工程をさらに備え、
前記ジャッキ装置設置工程では、前記ジャッキ装置設置用治具上において前記屋根側治具の下方位置に前記ジャッキ装置を設置し、
前記持ち上げ工程では、前記ジャッキ装置により前記屋根側治具に対して押し上げ力を付与することで前記各傾斜フレーム材をそれぞれ持ち上げ、
前記ブラケット取付工程では、前記建物本体上において、前記持ち上げ状態にある前記各傾斜フレーム材のうち少なくともいずれか１つの傾斜フレーム材の下方位置に前記補強用ブラケットを取り付けることを特徴とする請求項１に記載の建物の屋根補強方法。
【請求項３】
前記屋根側治具には、その長手方向の一部に補強部が設けられており、
前記ジャッキ装置設置工程では、前記ジャッキ装置を前記ジャッキ装置設置用治具上において前記補強部の真下位置に配置し、
前記持ち上げ工程では、前記補強部に対して前記ジャッキ装置による押し上げ力を付与することを特徴とする請求項２に記載の建物の屋根補強方法。
【請求項４】
前記フレーム材固定工程を終えた後も、前記屋根側治具を前記傾斜フレーム材から取り外さずに当該傾斜フレーム材に取り付けたままとしておくことを特徴とする請求項２又は３に記載の建物の屋根補強方法。
【請求項５】
前記治具架け渡し工程では、前記傾斜フレーム材の下方を跨ぐようにして、前記複数の上梁上に前記ジャッキ装置設置用治具を架け渡し、
前記ジャッキ装置設置工程では、前記ジャッキ装置設置用治具上において前記傾斜フレーム材の真下位置に前記ジャッキ装置を設置し、
前記持ち上げ工程では、前記ジャッキ装置により前記傾斜フレーム材に押し上げ力を付与することで当該傾斜フレーム材を持ち上げることを特徴とする請求項１に記載の建物の屋根補強方法。
【請求項６】
前記屋根部は、大棟と隅棟とを有する寄棟式の屋根であり、
前記隅棟と前記軒先との間には、前記軒側屋根パネルとして、隅部軒側屋根パネルが設けられており、
前記隅部軒側屋根パネルは、前記傾斜フレーム材として、前記隅棟に沿って延びる隅木フレーム材を有しており、その隅木フレーム材が前記建物本体の外周部上に設けられた前記ブラケットにより下方から支持された状態で設置されている建物に適用され、
前記治具架け渡し工程では、前記隅木フレーム材の下方を跨ぐようにして、前記建物本体における出隅部分から互いに直交する方向に延びる２つの前記上梁上に前記ジャッキ装置設置用治具を斜めに架け渡し、
前記ジャッキ装置設置工程では、前記ジャッキ装置設置用治具上において前記隅木フレーム材の真下位置に前記ジャッキ装置を設置し、
前記持ち上げ工程では、前記ジャッキ装置により前記隅木フレーム材を持ち上げ、
前記ブラケット取付工程では、前記ジャッキ装置により前記隅木フレーム材を持ち上げている状態で、前記建物本体上における前記隅木フレーム材の下方位置に前記補強用ブラケットを取り付け、
前記フレーム材固定工程では、前記持ち上げ状態にある前記隅木フレーム材を前記ジャッキ装置により下降させることで前記補強用ブラケット上に載置させ、その載置状態で前記隅木フレーム材を前記補強用ブラケットに固定することを特徴とする請求項５に記載の建物の屋根補強方法。
【請求項７】
前記ブラケット取付工程の前に行われ、前記ジャッキ装置設置用治具の架け渡し位置よりも前記出隅寄りの位置において長尺状の火打ち金物を前記２つの上梁上に斜めに架け渡して設置する火打ち金物設置工程を備え、
前記ブラケット取付工程では、前記火打ち金物上における前記隅木フレーム材の下方位置に前記補強用ブラケットを取り付けることを特徴とする請求項６に記載の建物の屋根補強方法。
【請求項８】
前記火打ち金物設置工程は、
前記火打ち金物を前記２つの上梁上に架け渡す火打ち金物架け渡し工程と、
前記架け渡された前記火打ち金物を前記各上梁にそれぞれ固定する火打ち金物固定工程と、を有しており、
前記火打ち金物固定工程では、挟み込み部材を、前記火打ち金物と当該挟み込み部材との間に前記上梁を挟み込むようにして配置し、その挟み込み状態において前記挟み込み部材と前記火打ち金物とを締結具により互いに連結することで、前記火打ち金物を前記上梁に固定することを特徴とする請求項７に記載の建物の屋根補強方法。
【発明の詳細な説明】
【技術分野】
【０００１】
本発明は、建物の屋根補強方法に関する。
【背景技術】
【０００２】
従来より建物における屋根構造として、柱や梁等を組み付けて構築される建物本体上に複数の屋根パネルが並設されることにより屋根が構成されるものが知られている（例えば、特許文献１参照）。この種の屋根パネルは、野地板と、野地板の裏面側に設けられたフレーム材とを備えて構成され、フレーム材が建物本体上に設けられた束やブラケットにより下方から支持されることにより設置されている。
【０００３】
束は上下に延びる長尺状をなしており、建物本体上において建物外周部よりも屋内側に配置されている。それに対し、ブラケットは上下に短い短尺物とされ、建物本体上において建物外周部に配置されている。建物本体上に設けられる複数の屋根パネルのうち、建物本体から屋外側に張り出して設けられて軒部を形成する軒側の屋根パネルは、束上及びブラケット上に斜めに架け渡された状態で設置されている。
【０００４】
ところで、住宅等の建物では、施工後に、後付けで屋根上にソーラパネルが設置されることがある。この場合、ソーラパネルの重量分、屋根部分の重量が増大することとなるため、地震や強風の際に屋根に生じる水平力（横向きの力）が、ソーラパネルの設置前と比べて増大することが考えられる。そのため、ソーラパネルを屋根上に後付けする際には、それと併せて屋根の補強を行うことが望ましい。
【０００５】
なお、既設された建物において屋根の瓦を重量の大きいものに葺き代える場合等にも、屋根部分の重量が増大するため、ソーラパネルを後付け設置する場合と同様、屋根の補強を行うのが望ましい。
【０００６】
ここで、束及びブラケットにより屋根パネル（屋根）を支持する上述の構成では、屋根に生じる水平力を概ね短尺物のブラケットにより受けることとなる。そのため、屋根に生じる水平力に対する抵抗力を高めるためには、ブラケットを補強する必要がある。具体的には、ブラケットを増設するか、又は、既設のブラケットをより高強度のブラケットに変更する必要がある。
【先行技術文献】
【特許文献】
【０００７】
【特許文献１】特開２００８−１２７９０２号公報
【発明の概要】
【発明が解決しようとする課題】
【０００８】
ブラケットを増設したりブラケットを高強度品に変更（交換）したりする場合には、ブラケット上に支持される軒側の屋根パネルのフレーム材を持ち上げた状態で作業する必要がある。この場合、例えば屋根パネルをクレーンにより吊り下げ支持することでフレーム材を持ち上げることが考えられる。しかしながら、クレーンを用いた作業は大掛かりなものとなると考えられ、また建物周りの環境によってはクレーンが建物近くまで入り込めない場合もありうる。そのため、クレーン等の大型機器を用いることなく、簡単にブラケットの増設又は交換を行うことのできる方法が求められる。
【０００９】
本発明は、上記事情に鑑みてなされたものであり、屋根パネルを支持するブラケットの補強を比較的簡単に行うことができる建物の屋根補強方法を提供することを主たる目的とするものである。
【課題を解決するための手段】
【００１０】
上記課題を解決すべく、第１の発明の建物の屋根補強方法は、建物本体と、その建物本体上において軒先に向けて下方傾斜するよう形成された屋根部とを備え、前記屋根部は、野地板と、その野地板の裏側に設けられたフレーム材とを有する屋根パネルが複数並設されることにより構成されており、前記複数の屋根パネルのうち、前記建物本体に対して屋外側に張り出して設けられることで軒部を形成する軒側屋根パネルは、前記フレーム材として、前記屋根部の傾斜方向に延びる傾斜フレーム材を有しており、その傾斜フレーム材が前記建物本体の外周部上に設けられたブラケットにより下方から支持された状態で設置されている建物に適用される屋根補強方法であって、前記傾斜フレーム材の下方を跨ぐようにして、前記建物本体の上端部に設けられた複数の上梁上に長尺状のジャッキ装置設置用治具を架け渡す治具架け渡し工程と、前記ジャッキ装置設置用治具の上にジャッキ装置を設置するジャッキ装置設置工程と、前記ジャッキ装置により前記傾斜フレーム材を持ち上げる持ち上げ工程と、前記ジャッキ装置により前記傾斜フレーム材を持ち上げている状態で、前記建物本体上における当該傾斜フレーム材の下方位置に補強用のブラケットを増設して取り付けるか又は既設のブラケットと置き換えて取り付けるブラケット取付工程と、前記ブラケット取付工程の後、前記持ち上げ状態にある前記傾斜フレーム材を前記ジャッキ装置により下降させることで前記補強用ブラケット上に載置させ、その載置状態で前記傾斜フレーム材を前記補強用ブラケットに固定するフレーム材固定工程と、を備えることを特徴とする。
【００１１】
本発明によれば、軒側屋根パネルの傾斜フレーム材の下方を跨ぐようにして、建物本体上端部の複数の上梁上に長尺状のジャッキ装置設置用治具が架け渡され、その治具上にジャッキ装置が設置される。そして、ジャッキ装置により傾斜フレーム材が持ち上げられ、その持ち上げ状態において補強用ブラケットが建物本体上における当該傾斜フレーム材の下方位置に取り付けられる。この場合、補強用ブラケットは新たに増設されて取り付けられるか、又は既設のブラケットと置き換えられて（交換されて）取り付けられる。かかる構成によれば、クレーン等の大型機器と比べて小型であるジャッキ装置を用いて傾斜フレーム材の持ち上げを行うことができるため、比較的簡単にブラケットの補強作業を行うことが可能となる。
【００１２】
ところで、ジャッキ装置を建物本体の上梁上に直に設置して傾斜フレーム材の持ち上げを行うことも考えられるが、上梁は所定の間隔をおいて配設されているものであるため、傾斜フレーム材の真下に上梁が存在しないこともありえる。その場合、上梁上にジャッキ装置を設置して傾斜フレーム材の持ち上げを行うことが不可能となる。この点本発明によれば、複数の上梁上にジャッキ装置設置用治具を架け渡し、その治具上にジャッキ装置を設置するようにしているため、傾斜フレーム材の真下に上梁が存在しない場合でもジャッキ装置による傾斜フレーム材の持ち上げを行うことが可能となる。
【００１３】
第２の発明の建物の屋根補強方法は、第１の発明において、前記持ち上げ工程の前に行われ、前記ジャッキ装置設置用治具と上下に対向するように長尺状の屋根側治具を複数の前記傾斜フレーム材の下面に跨がって配置し、その配置状態で前記屋根側治具をそれら各傾斜フレーム材にそれぞれ取り付ける屋根側治具取付工程をさらに備え、前記ジャッキ装置設置工程では、前記ジャッキ装置設置用治具上において前記屋根側治具の下方位置に前記ジャッキ装置を設置し、前記持ち上げ工程では、前記ジャッキ装置により前記屋根側治具に対して押し上げ力を付与することで前記各傾斜フレーム材をそれぞれ持ち上げ、前記ブラケット取付工程では、前記建物本体上において、前記持ち上げ状態にある前記各傾斜フレーム材のうち少なくともいずれか１つの傾斜フレーム材の下方位置に前記補強用ブラケットを取り付けることを特徴とする。
【００１４】
本発明によれば、複数の傾斜フレーム材に跨がって取り付けられる屋根側治具に対してジャッキ装置による押し上げ力が付与され、その押し上げ力によって複数の傾斜フレーム材が屋根側治具を介して間接的に持ち上げられる。この場合、ジャッキ装置により傾斜フレーム材に直接押し上げ力を付与して同フレーム材を持ち上げる場合とは異なり、ジャッキ装置を傾斜フレーム材の真下位置に配置する必要がない。そのため、ジャッキ装置により傾斜フレーム材を持ち上げた状態で、建物本体上における傾斜フレーム材の下方位置に補強用ブラケットを取り付ける際、ジャッキ装置が取付作業の邪魔となるのを抑制することができる。そのため、補強用ブラケットの取付作業を好適に行うことが可能となる。
【００１５】
また、ブラケット取付工程では、建物本体上において、ジャッキ装置による持ち上げ状態にある各傾斜フレーム材のうちいずれか複数の傾斜フレーム材の下方位置に補強用ブラケットを取り付けるようにしてもよい。その場合、ジャッキ装置による一度の持ち上げで複数の傾斜フレーム材に対して補強用ブラケットを設置することができるため、設置作業の効率化を図ることができる。
【００１６】
なお、屋根側治具が取り付けられる複数の傾斜フレーム材は、一の軒側屋根パネルにおける複数の傾斜フレーム材であってもよいし、複数の軒側屋根パネルにおける複数の傾斜フレーム材であってもよい。
【００１７】
第３の発明の建物の屋根補強方法は、第２の発明において、前記屋根側治具には、その長手方向の一部に補強部が設けられており、前記ジャッキ装置設置工程では、前記ジャッキ装置を前記ジャッキ装置設置用治具上において前記補強部の真下位置に配置し、前記持ち上げ工程では、前記補強部に対して前記ジャッキ装置による押し上げ力を付与することを特徴とする。
【００１８】
本発明によれば、屋根側治具に設けられた補強部に対してジャッキ装置による押し上げ力が付与されるため、ジャッキ装置による押し上げ時に屋根側治具が曲がる等の変形が生じるのを抑制することができる。また、屋根側治具全体を高強度（補強部）にすることによっても、かかる効果を得ることは可能であるが、その場合、屋根側治具の重量が増大してしまい、屋根側治具の取り扱いが困難となるおそれがある。この点本発明では、屋根側治具の一部にのみ補強部を設けているため、かかる不都合を回避しながら上述の効果を得ることができる。
【００１９】
第４の発明の建物の屋根補強方法は、第２又は第３の発明において、前記フレーム材固定工程を終えた後も、前記屋根側治具を前記傾斜フレーム材から取り外さずに当該傾斜フレーム材に取り付けたままとしておくことを特徴とする。
【００２０】
本発明によれば、ブラケットの補強作業が終了した後も、屋根側治具が軒側屋根パネルの傾斜フレーム材から取り外されず当該傾斜フレーム材に取り付けられたままとなる。これにより、傾斜フレーム材の持ち上げに際し用いられる屋根側治具を、軒側屋根パネルを補強する補強部材としても用いることができ、屋根側治具の有効利用を図ることができる。
【００２１】
第５の発明の建物の屋根補強方法は、第１の発明において、前記治具架け渡し工程では、前記傾斜フレーム材の下方を跨ぐようにして、前記複数の上梁上に前記ジャッキ装置設置用治具を架け渡し、前記ジャッキ装置設置工程では、前記ジャッキ装置設置用治具上において前記傾斜フレーム材の真下位置に前記ジャッキ装置を設置し、前記持ち上げ工程では、前記ジャッキ装置により前記傾斜フレーム材に押し上げ力を付与することで当該傾斜フレーム材を持ち上げることを特徴とする。
【００２２】
本発明によれば、ジャッキ装置がジャッキ装置設置用治具上において傾斜フレーム材の真下位置に配置され、当該傾斜フレーム材に対してジャッキ装置により押し上げ力が付与されることで傾斜フレーム材が持ち上げられる。この場合、ジャッキ装置により傾斜フレーム材を屋根側治具を介して持ち上げる上記の構成とは異なり、屋根側治具を傾斜フレーム材に取り付ける作業を行わなくても済むため、その分作業の軽減を図れるという利点がある。
【００２３】
第６の発明の建物の屋根補強方法は、第５の発明において、前記屋根部は、大棟と隅棟とを有する寄棟式の屋根であり、前記隅棟と前記軒先との間には、前記軒側屋根パネルとして、隅部軒側屋根パネルが設けられており、前記隅部軒側屋根パネルは、前記傾斜フレーム材として、前記隅棟に沿って延びる隅木フレーム材を有しており、その隅木フレーム材が前記建物本体の外周部上に設けられた前記ブラケットにより下方から支持された状態で設置されている建物に適用され、前記治具架け渡し工程では、前記隅木フレーム材の下方を跨ぐようにして、前記建物本体における出隅部分から互いに直交する方向に延びる２つの前記上梁上に前記ジャッキ装置設置用治具を斜めに架け渡し、前記ジャッキ装置設置工程では、前記ジャッキ装置設置用治具上において前記隅木フレーム材の真下位置に前記ジャッキ装置を設置し、前記持ち上げ工程では、前記ジャッキ装置により前記隅木フレーム材を持ち上げ、前記ブラケット取付工程では、前記ジャッキ装置により前記隅木フレーム材を持ち上げている状態で、前記建物本体上における前記隅木フレーム材の下方位置に前記補強用ブラケットを取り付け、前記フレーム材固定工程では、前記持ち上げ状態にある前記隅木フレーム材を前記ジャッキ装置により下降させることで前記補強用ブラケット上に載置させ、その載置状態で前記隅木フレーム材を前記補強用ブラケットに固定することを特徴とする。
【００２４】
本発明によれば、建物本体の出隅部分から互いに直交して延びる２つの上梁上にジャッキ装置設置用治具が斜めに架け渡され、その治具上において隅部軒側屋根パネルの隅木フレーム材の真下位置にジャッキ装置が設置される。そして、隅木フレーム材にジャッキ装置による押し上げ力が付与されることで同フレーム材が持ち上げられ、その持ち上げ状態で隅木フレーム材を支持する補強用ブラケットが建物本体上に取り付けられる。ここで、隅木フレーム材は、隅棟に沿って延びる部材であるため、建物本体の外周部（例えば上記２つの上梁）に対しては斜めに延びている。そのため、ジャッキ装置設置用治具を直交する２つの上梁上に斜めに架け渡しジャッキ装置を設置する上記の構成は、隅木フレーム材をジャッキ装置で持ち上げるにあたって都合のよい構成といえる。
【００２５】
第７の発明の建物の屋根補強方法は、第６の発明において、前記ブラケット取付工程の前に行われ、前記ジャッキ装置設置用治具の架け渡し位置よりも前記出隅寄りの位置において長尺状の火打ち金物を前記２つの上梁上に斜めに架け渡して設置する火打ち金物設置工程を備え、前記ブラケット取付工程では、前記火打ち金物上における前記隅木フレーム材の下方位置に前記補強用ブラケットを取り付けることを特徴とする。
【００２６】
本発明によれば、隅木フレーム材の下方を跨ぐようにして、互いに直交する２つの上梁上に火打ち金物が架け渡されて、その火打ち金物上に補強用ブラケットが増設され取り付けられている。この場合、隅木フレーム材を既設のブラケットと、増設された補強用ブラケットとの双方により支持することができるため、屋根部の隅棟部分において屋根部に生じる水平力に対する抵抗力を高めることができる。
【００２７】
また、火打ち金物は、ジャッキ装置設置用治具よりも出隅寄りの位置で直交する２つの上梁上に架け渡されるため、火打ち金物上に増設される補強用ブラケットを建物本体の外周部付近に配置することができる。そのため、屋根部に生じる水平力に対する抵抗力を好適に発揮することができる。
【００２８】
第８の発明の建物の屋根補強方法は、第７の発明において、前記火打ち金物設置工程は、前記火打ち金物を前記２つの上梁上に架け渡す火打ち金物架け渡し工程と、前記架け渡された前記火打ち金物を前記各上梁にそれぞれ固定する火打ち金物固定工程と、を有しており、前記火打ち金物固定工程では、挟み込み部材を、前記火打ち金物と当該挟み込み部材との間に前記上梁を挟み込むようにして配置し、その挟み込み状態において前記挟み込み部材と前記火打ち金物とを締結具により互いに連結することで、前記火打ち金物を前記上梁に固定することを特徴とする。
【００２９】
本発明によれば、火打ち金物と挟み込み部材との間に上梁が挟み込まれた状態で、それら両者（火打ち金物及び挟み込み部材）が締結具により互いに連結されることで、火打ち金物が上梁に対して固定される。この場合、火打ち金物を上梁に直接釘等の締結具を打ち込む等して固定する場合とは異なり、上梁に損傷を与えることなく火打ち金物を上梁に固定することができるため、火打ち金物を事後的に取り付ける上で好ましい構成といえる。
【図面の簡単な説明】
【００３０】
【図１】建物全体を示す概略図。
【図２】建物ユニットの斜視図。
【図３】屋根全体を示す平面図。
【図４】（ａ）が四角形状の軒側屋根パネルを示す正面図であり、（ｂ）が直角三角形状の軒側屋根パネルを示す正面図である。
【図５】四角形状の軒側屋根パネルの設置構成を示す平面図。
【図６】図５のＡ−Ａ線断面図。
【図７】直角三角形状の軒側屋根パネルの設置構成を示す平面図。
【図８】屋根部上にソーラパネルが設置された状態を示す平面図。
【図９】傾斜屋根部におけるソーラパネルの設置部分周辺を示す平面図。
【図１０】図９のＢ−Ｂ線断面図。
【図１１】図９のＣ−Ｃ線断面図。
【図１２】隣接する傾斜屋根部の境界部周辺を示す平面図。
【図１３】図１２のＤ−Ｄ線断面図。
【図１４】図１２のＥ−Ｅ線断面図。
【図１５】図１２のＦ−Ｆ線断面図。
【図１６】垂木フレーム材を支持する既設ブラケットを補強用ブラケットに交換する際の作業手順を説明するための説明図。
【図１７】隅木フレーム材を支持するブラケットを増設する際の作業手順を説明するための説明図。
【発明を実施するための形態】
【００３１】
以下に、本発明を具体化した一実施の形態について図面を参照しつつ説明する。なお、図１は建物全体を示す概略図である。
【００３２】
図１に示すように、建物１０は、基礎１１上に配設された建物本体１２と、建物本体１２の上方に配設された屋根部１３とを備える。建物本体１２は、複数の建物ユニット２０が互いに連結されてなる二階建ての建物である。建物本体１２上には、複数のブラケット１６及び複数の束１７が設けられており、これら各ブラケット１６及び各束１７により屋根部１３が支持されている。
【００３３】
図２には建物ユニット２０の斜視図が示されている。図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００３４】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。また、建物ユニット２０の側面には、外壁パネル６２（図６参照）や内壁パネル（図示略）が設けられている。
【００３５】
次に、屋根部１３について図３を用いて説明する。図３は屋根全体を示す平面図である。なお、図３では建物本体１２を構成する各建物ユニット２０を二点鎖線で示している。
【００３６】
図３に示すように、屋根部１３は、その頂部において水平方向に延びる大棟１８と、大棟１８の両端部から当該屋根の隅部２４に向かって延びる隅棟１９とを有する寄棟屋根となっている。屋根部１３は、大棟１８及び隅棟１９により区画された４つ（４面）の傾斜屋根部３３を有している。傾斜屋根部３３には、屋根部１３の平側において台形形状に形成された一対の傾斜屋根部３３ａと、屋根部１３の妻側において三角形状に形成された一対の傾斜屋根部３３ｂとがある。これら各傾斜屋根部３３（３３ａ，３３ｂ）はいずれも軒先２９に向かって下方傾斜するように形成されている。
【００３７】
各傾斜屋根部３３はそれぞれ複数の屋根パネル４０，５０が並設されることにより構成されている。各傾斜屋根部３３では、屋根パネル４０，５０が屋根傾斜方向において複数（具体的には２つ）に分割されている。具体的には、各傾斜屋根部３３では、屋根パネル４０，５０として、建物本体１２の外周部よりも屋内側に配置された屋内側屋根パネル４０と、建物本体１２の外周部に対して屋外側に張り出すように配置されその張出部分により軒部３４を形成する軒側屋根パネル５０とが設けられている。
【００３８】
屋内側屋根パネル４０と軒側屋根パネル５０とはそれぞれ、各傾斜屋根部３３において軒先２９の延びる方向に沿って横並びに複数ずつ設けられている。屋内側屋根パネル４０には、四角形状をなす屋根パネル４１と、直角三角形状をなす屋根パネル４２とがある。四角形状の屋内側屋根パネル４１は隅棟１９から隔てて配置されており、三角形状の屋内側屋根パネル４２は隅棟１９に隣接して配置されている。また、これと同様に、軒側屋根パネル５０にも、四角形状をなす屋根パネル５１と、直角三角形状をなす屋根パネル５２とがある。四角形状の軒側屋根パネル５１は隅棟１９から隔てて配置されており、三角形状の軒側屋根パネル５２は隅棟１９に隣接して配置されている。
【００３９】
なお、以下の説明において各屋内側屋根パネル４１，４２を区別して説明する必要のない場合には屋内側屋根パネルの符号に４０を付すこととし、各軒側屋根パネル５１，５２を区別して説明する必要のない場合には軒側屋根パネルの符号に５０を付すこととする。
【００４０】
ブラケット１６は、建物本体１２の外周部上に当該外周部に沿って所定の間隔で複数配置されている。各ブラケット１６はそれぞれ隣り合う軒側屋根パネル５０の境界部に配置されており、それら隣り合う軒側屋根パネル５０を下方から共通に支持している。なお、図３ではブラケット１６の設置位置を丸印で示している。
【００４１】
束１７は、建物本体１２における屋内側において複数箇所に配置されている。各束１７はそれぞれ隣り合う屋根パネル４０，５０の境界部に配置されており、それら隣り合う各屋根パネル４０，５０を下方から共通に支持している。なお、図３では束１７の設置位置を四角印で示している。
【００４２】
次に、屋根パネル４０，５０について説明する。
【００４３】
各屋根パネル４０，５０はそれぞれ、屋根下地材としての野地板と、野地板の裏側において野地板の周縁部に沿って設けられたフレーム材とを有している。各屋根パネル４０，５０はそれぞれ、フレーム材を建物本体１２上のブラケット１６や束１７に支持させた状態で設置されている。
【００４４】
続いて、各屋根パネル４０，５０のうち、軒側屋根パネル５０（５１，５２）について特に図４を用いながら説明する。図４において（ａ）が四角形状の軒側屋根パネル５１を示す正面図であり、（ｂ）が直角三角形状の軒側屋根パネル５２を示す正面図である。
【００４５】
まず、軒側屋根パネル５１について図４（ａ）に基づいて説明する。
【００４６】
図４（ａ）に示すように、軒側屋根パネル５１は、野地板５４と、野地板５４の裏面側に設けられた垂木フレーム材５５及び鼻先木５６とを備える。ここで、垂木フレーム材５５が傾斜フレーム材に相当する。野地板５４は、矩形形状（長方形状）をなしており、例えばパーティクルボードからなる。
【００４７】
垂木フレーム材５５は断面コ字状の軽量鉄骨材よりなる。垂木フレーム材５５は、野地板５４の裏面側において野地板５４の幅方向（短手方向）に横並びで複数（具体的には３つ）配置されている。それら複数の垂木フレーム材５５のうち２つの垂木フレーム材５５は、野地板５４の幅方向の両端部において互いの溝部を向き合わせた状態で野地板５４の（長辺側の）端辺に沿って延びている。これら各垂木フレーム材５５はそれぞれ野地板５７の裏面にビスにより固定されている。
【００４８】
鼻先木５６は木質系の角材よりなる。鼻先木５６は、野地板５４の短辺側の端辺に沿って配置されており、野地板５４の裏面にビスにより固定されている。
【００４９】
続いて、軒側屋根パネル５２について図４（ｂ）に基づいて説明する。なお、軒側屋根パネル５２は隅部軒側屋根パネルに相当するものである。
【００５０】
図４（ｂ）に示すように、軒側屋根パネル５２は、野地板５７と、垂木フレーム材５８と、隅木フレーム材５９と、鼻先木６０とを備える。ここで、垂木フレーム材５８及び隅木フレーム材５９がそれぞれ傾斜フレーム材に相当する。野地板５７は、直角三角形状をなしており、例えばパーティクルボードからなる。
【００５１】
垂木フレーム材５８及び隅木フレーム材５９はいずれも断面コ字状の軽量鉄骨材よりなる。垂木フレーム材５８は野地板５７の隣辺５７ａの長さと略同じ長さを有しており、隅木フレーム材５９は野地板５７の斜辺５７ｂの長さと略同じ長さを有している。垂木フレーム材５８は、野地板５７の隣辺５７ａに沿って配置され、隅木フレーム材５９は野地板５７の斜辺５７ｂに沿って配置されている。垂木フレーム材５８と隅木フレーム材５９とはそれぞれ野地板５７の裏面にビスにより固定されている。また、これら各フレーム材５８，５９はいずれも溝部を内側に向けた状態で配置されている。
【００５２】
鼻先木６０は木質系の角材よりなる。鼻先木６０は、野地板５７におけるもう一方の隣辺５７ａ（すなわち、垂木フレーム材５８に沿って延びる隣辺５７ａとは異なる隣辺５７ａ）に沿って配置されており、野地板５７の裏面にビスにより固定されている。以上が、各軒側屋根パネル５１，５２についての説明である。
【００５３】
次に、各軒側屋根パネル５１，５２の設置構成について説明する。
【００５４】
まず、四角形状をなす軒側屋根パネル５１の設置構成について図５及び図６を用いて説明する。図５は軒側屋根パネル５１の設置構成を示す平面図であり、図６は図５のＡ−Ａ線断面図である。なお、図５では便宜上、建物本体１２について外周部のみを二点鎖線で示している（図７及び図９も同様）。
【００５５】
図５に示すように、軒側屋根パネル５１は、傾斜屋根部３３において、各垂木フレーム材５５が当該屋根部３３の傾斜方向に延び、かつ鼻先木５６が軒先２９に沿って延びる向きで配置されている。かかる軒側屋根パネル５１の配置状態において、隣り合う軒側屋根パネル５１の隣接する各垂木フレーム材５５は建物本体１２上の共通のブラケット１６及び共通の束１７により下方から支持されている。これにより、各軒側屋根パネル５１がブラケット１６及び束１７を介して建物本体１２上に支持されている。また、隣り合う軒側屋根パネル５１は、互いの隣接する垂木フレーム材５５（詳しくはそのウェブ部）同士を接合させた状態で設けられており、それらウェブ部同士がボルト（図示略）により互いに連結されている。
【００５６】
図６に示すように、ブラケット１６は、鋼板が折り曲げ形成されてなるものであり、天井大梁２２（詳しくはその上フランジ部）上に固定された固定板部１６ａと、垂木フレーム材５５を下方から支持する支持板部１６ｂとを有している。固定板部１６ａは天井大梁２２（上フランジ部）の上面にボルト４４及びナット４５を用いて固定されている。支持板部１６ｂは、固定板部１６ａと上下に対向して配置され、傾斜屋根部３３の傾斜方向に延びるように形成されている。この支持板部１６ｂには、隣り合う軒側屋根パネル５１の各垂木フレーム材５５がそれぞれ載置されており、その載置状態において各垂木フレーム材５５が支持板部１６ｂにボルト４７及びナット４８を用いて固定されている。これにより、軒側屋根パネル５１がブラケット１６上に支持固定されている。
【００５７】
なお、図６中に示されたその他の構成として、建物ユニット２０の天井大梁２２には、外壁パネル６２が固定されている。外壁パネル６２は、外壁面を形成する外壁面材６３と、その裏面側に設けられた外壁フレーム６４とを備える。外壁フレーム６４は、その上端部に配されたフレーム材６４ａが天井大梁２２の外側面にボルトにより固定されており、これによって外壁パネル６２が建物ユニット２０に固定されている。なお、図６中の符号４９は天井大梁２２と天井小梁２５とを連結するブラケットである。
【００５８】
続いて、直角三角形状をなす軒側屋根パネル５２の設置構成について図７を用いて説明する。図７は軒側屋根パネル５２の設置構成を示す平面図である。
【００５９】
図７に示すように、軒側屋根パネル５２は、隅木フレーム材５９が隅棟１９に沿って延びかつ垂木フレーム材５８が傾斜屋根部３３の傾斜方向に延びる向きで配置されている。また、このとき、鼻先木６０は軒先２９に沿って配置されている。かかる軒側屋根パネル５２の配置状態において、隅棟１９を挟んで隣り合う軒側屋根パネル５２の隣接する各隅木フレーム材５９は、共通のブラケット１６及び共通の束１７により下方から支持されている。また、軒側屋根パネル５２は、軒側屋根パネル５１とも隣り合っている。それら隣り合う軒側屋根パネル５１，５２の隣接する各垂木フレーム材５５，５８も、共通のブラケット１６及び共通の束１７により下方から支持されている。これにより、各軒側屋根パネル５２がブラケット１６及び束１７を介して建物本体１２上に支持されている。
【００６０】
隣り合う軒側屋根パネル５２は、互いの隅木フレーム材５９（詳しくはそのウェブ部）同士を接合させた状態で設けられており、それらウェブ部同士がボルトにより互いに連結されている。また、隣り合う軒側屋根パネル５１，５２も、互いの垂木フレーム材５５，５８（詳しくはそのウェブ部）同士を接合させた状態で設けられており、それらウェブ部同士がボルトにより互いに連結されている。
【００６１】
なお、図示は省略するが、隅木フレーム材５９がブラケット１６上に支持固定される構成は、垂木フレーム材５５がブラケット１６上に支持固定される構成（図６に示す構成）と同様の構成となっている。
【００６２】
ところで、本実施形態では、上述した建物１０の屋根部１３上に事後的に（後付けで）ソーラパネルが設置されている。図８には、屋根部１３上にソーラパネル３７が設置された状態が示されている。図８に示すように、屋根部１３上にはソーラパネル３７が設置されている。ソーラパネル３７は、屋根部１３において台形形状をなす平側の傾斜屋根部３３ａ上に設置されている。より具体的には、ソーラパネル３７は、当該傾斜屋根部３３ａ上において図示の左寄りに配置されている。
【００６３】
ここで、ソーラパネル３７を屋根部１３上に設置すると、屋根部１３の重量が増大することとなるため、地震や強風等の際屋根部１３に生じる横向き（水平方向）の力が大きくなることが想定される。そこで本実施形態では、この対策として、ソーラパネル３７の設置と併せて、屋根部１３の補強を行っている。具体的には、屋根部１３に生じる水平力を大きく受けるブラケット１６について補強を行っている。以下、かかるブラケットの補強構造について説明する。
【００６４】
本実施形態では、ブラケット１６の補強として、大きく分けて２つの補強を行っている。すなわち、第１のブラケット補強として、ソーラパネル３７の裏側に配置された軒側屋根パネル５１において、その垂木フレーム材５５を支持するブラケット１６をより高強度のものへと交換する補強を行っている。そして、第２のブラケット補強として、ソーラパネル３７の設置部分周辺に配置された軒側屋根パネル５２において、その隅木フレーム材５９を支持するブラケットを増設する補強を行っている。そこで以下において、これら第１及び第２のブラケット補強構造について説明する。
【００６５】
まず、ソーラパネル３７の裏側に配置された軒側屋根パネル５１において、その垂木フレーム材５５を支持するブラケット１６をより高強度のブラケットへ交換し補強を行った第１のブラケット補強構造について説明する。図９は傾斜屋根部３３ａにおけるソーラパネル３７の設置部分周辺を示す平面図であり、図１０は図９のＢ−Ｂ線断面図であり、図１１は図９のＣ−Ｃ線断面図である。なお、図９は図８の領域Ｃ１を拡大して示した図である。また、図９では便宜上、ソーラパネル３７の図示を省略している。
【００６６】
図９乃至図１１に示すように、ソーラパネル３７の裏側にて隣り合う軒側屋根パネル５１の隣接する各垂木フレーム材５５は、建物ユニット２０の天井大梁２２上に設けられた補強用ブラケット７５の上に共通に支持されている。すなわち、ブラケットの補強前は上述したように各垂木フレーム材５５が（既設の）ブラケット１６上に支持されていたのに対し、補強後は補強用ブラケット７５上に支持されている。要するに、この補強用ブラケット７５は、既設のブラケット１６と置き換えられて（交換されて）取り付けられたものとなっている。
【００６７】
補強用ブラケット７５は、既設のブラケット１６よりも高い強度（支持強度）を有して形成されている。補強用ブラケット７５は、既設のブラケット１６と基本的に同じ構成を有しており、天井大梁２２の上面にボルト４４及びナット４５により固定された固定板部７５ａと、垂木フレーム材５５を下方から支持する支持板部７５ｂとを有している。補強用ブラケット７５は、既設のブラケット１６と異なる点として、当該ブラケット１６よりも肉厚が大きくされている。また、補強用ブラケット７５には、その溝部に複数（具体的には３つ）の補強板７６が配設されている。補強板７６は、平板状の鋼板よりなり、補強用ブラケット７５の溝部の形状と同じ形状を有している。各補強板７６は補強用ブラケット７５の溝部において縦向きで配設され、同ブラケット７５に溶接固定されている。これにより、補強用ブラケット７５は、既設のブラケット１６よりも高強度に形成されている。
【００６８】
補強用ブラケット７５の支持板部７５ｂ上には、隣り合う軒側屋根パネル５１の各垂木フレーム材５５がそれぞれ載置されており、その載置状態で各垂木フレーム材５５がそれぞれボルト４７及びナット４８により支持板部７５ｂ上に固定されている。このように、軒側屋根パネル５１の各垂木フレーム材５５を支持するブラケットが高強度のブラケット７５へと置き換えられる（交換される）ことで、ブラケット７５による軒側屋根パネル５１（ひいては傾斜屋根部３３ａ）の支持強度が高められている。
【００６９】
また、軒側屋根パネル５１では、補強用ブラケット７５による補強に加えて、さらに屋根側治具７０を用いた補強が行われている。屋根側治具７０は、後述するように、既設のブラケット１６を補強用ブラケット７５へと交換する作業（すなわちブラケット補強作業）を行う際に用いられる治具であり、本実施形態では、この治具７０を補強作業が完了した後も軒側屋根パネル５１に組み付けたままとすることで、当該治具７０を軒側屋根パネル５１の補強部材としても兼用することとしている。以下、屋根側治具７０による補強構造について説明する。
【００７０】
図９乃至図１１に示すように、ソーラパネル３７の裏側に配置された（所定の）軒側屋根パネル５１（以下、この軒側屋根パネル５１の符号にＡを付す）の下面側には、長尺状の屋根側治具７０が設けられている。屋根側治具７０は、建物本体１２の外周部（図９において二点鎖線で示す）よりも屋内側において軒側屋根パネル５１Ａの垂木フレーム材５５と直交する方向（換言すると軒先２９の延びる方向）に延びる向きで配置されている。屋根側治具７０は、当該軒側屋根パネル５１Ａにおける各（すべての）垂木フレーム材５５の下面に跨がって配設されており、その配設状態において各垂木フレーム材５５のうちパネル両端部に配置された一対の垂木フレーム材５５にそれぞれ取り付けられている。
【００７１】
屋根側治具７０は、軒側屋根パネル５１Ａの横幅（軒先２９の延びる方向の長さ）よりも長い長さ寸法を有している。屋根側治具７０は、各垂木フレーム材５５に固定された状態においてその両端側がそれぞれ軒側屋根パネル５１Ａから側方にはみ出しており、そのはみ出した部分が当該軒側屋根パネル５１Ａと隣接する軒側屋根パネル５１の垂木フレーム材５５の下面に当接（又は対向）されている。なお、本実施形態では、この当接部分において屋根側治具７０の当該はみ出し部分と上記垂木フレーム材５５とをボルト等の締結具によって固定しない構成としているが、それら両者を締結具によって固定するようにしてもよい。
【００７２】
屋根側治具７０は、断面略コ字状の鋼材により形成されている。屋根側治具７０は、垂木フレーム材５５の傾斜に応じて傾斜され垂木フレーム材５５（詳しくはその下フランジ部）の下面に固定された固定板部７０ａと、固定板部７０ａの傾斜方向の下端部から下方に延びる縦板部７０ｂと、縦板部７０ｂの下端部から横向き（詳細には水平方向）に延び固定板部７０ａと上下に対向する横板部７０ｃとを有する。固定板部７０ａはボルト７８及びナット７９を用いて垂木フレーム材５５の下面に固定されている。
【００７３】
また、屋根側治具７０の溝部には、当該治具７０の長手方向に所定間隔で複数（図１１では５つ）の補強板７１が配設されている。これら複数の補強板７１は、屋根側治具７０における長手方向の両端部を含む複数の箇所に配置されている。補強板７１は、平板状の鋼板よりなり、屋根側治具７０の溝部断面と同じ形状を有している。補強板７１は、屋根側治具７０の溝部に縦向きで配設されており、屋根側治具７０に対して溶接により固定されている。屋根側治具７０において長手方向の中間部に補強板７１が配設されている部位が当該治具７０の補強部７２となっており、本実施形態ではこの補強部７２が屋根側治具７０の長手方向に所定の間隔で複数（具体的には３つ）設けられている。
【００７４】
続いて、ソーラパネル３７の設置部分周辺に配置された軒側屋根パネル５２において、その隅木フレーム材５９を支持するブラケットを増設し補強を行った第２のブラケット補強構造について説明する。図１２は隣接する傾斜屋根部３３ａ，３３ｂの境界部周辺を示す平面図であり、図１３は図１２のＤ−Ｄ線断面図であり、図１４は図１２のＥ−Ｅ線断面図であり、図１５は図１２のＦ−Ｆ線断面図である。なお、図１２は図８の領域Ｃ２を拡大して示した図である。
【００７５】
図１２及び図１３に示すように、二階部分の建物ユニット２０において（建物本体１２の）出隅部７７を挟んで隣り合う各天井大梁２２は互いに直交する向きで配置されており、それら各天井大梁２２上には長尺状の火打ち金物８０が斜めに架け渡されて設置されている。火打ち金物８０は、溝形鋼により形成されており、例えば１ｍ程度の長さを有している。火打ち金物８０は、その溝部（溝開口）を側方に向けた状態で各天井大梁２２上に架け渡されており、隣り合う軒側屋根パネル５２の隣接する各隅木フレーム材５９の下方を跨ぐように配置されている。
【００７６】
なお、火打ち金物８０の溝部には、平板状の鋼板よりなる補強板８５が縦向き状態で所定間隔ごとに配設され、火打ち金物８０に対して溶接により固定されている。これにより、火打ち金物８０の強度が高められている。
【００７７】
火打ち金物８０の両端部にはそれぞれ端部プレート８１が固定されている。これら各端部プレート８１は平板状の鋼板よりなり、火打ち金物８０に溶接固定されている。端部プレート８１は、火打ち金物８０の両端部においてそれぞれ縦向きの状態で固定されており、その一部が火打ち金物８０よりも下方に延出して延出部８１ａとなっている。各端部プレート８１の延出部８１ａはそれぞれ天井大梁２２のウェブ部２２ａの外側面に当接されている。
【００７８】
火打ち金物８０の両端部にはそれぞれ挟み込み部材８３が設けられている。挟み込み部材８３は、鋼板が折り曲げられることにより形成されている。挟み込み部材８３は、火打ち金物８０（詳細にはその下フランジ部８０ａ）の下面に固定された固定板部８３ａと、固定板部８３ａと段差部８３ｂを介して連結され天井大梁２２の上フランジ部２２ｂの下面と対向する対向板部８３ｃと、対向板部８３ｃの端部から下方に延びて天井大梁２２のウェブ部２２ａの内側面に当接された当接板部８３ｄとを有している。
【００７９】
固定板部８３ａには、複数（図１３では２つ）の貫通孔部８６が設けられており、火打ち金物８０の下フランジ部８０ａには、これら各貫通孔部８６に対応する位置に複数の貫通孔部８７（図１３では２つ）が設けられている。固定板部８３ａの貫通孔部８６と火打ち金物８０（下フランジ部８０ａ）の貫通孔部８７とにはそれぞれボルト８８が挿通されており、そのボルト８８がナット８９と締結されている。これにより、挟み込み部材８３（固定板部）が火打ち金物８０に対して固定されている。
【００８０】
挟み込み部材８３の当接板部８３ｄは、端部プレート８１の延出部８１ａとの間に天井大梁２２のウェブ部２２ａを挟み込んだ状態で配置されている。このウェブ部２２ａの挟み込み状態において、固定板部８３ａが火打ち金物８０の下フランジ部８０ａに固定されており、これにより火打ち金物８０が天井大梁２２に対して固定されている。
【００８１】
図１４及び図１５に示すように、火打ち金物８０上には補強用ブラケット９０が設けられている（図１２も参照）。補強用ブラケット９０は、隣り合う軒側屋根パネル５２において隣接する各隅木フレーム材５９の真下位置に配置されており、それら各隅木フレーム材５９を下方から支持している。すなわち、ブラケットの補強前は上述したように各隅木フレーム材５９がブラケット１６（詳しくはブラケット１６及び束１７）上に支持されていただけであったのに対し、補強後は補強用ブラケット９０が増設されてブラケット１６と補強用ブラケット９０との双方によって支持されている。
【００８２】
補強用ブラケット９０は、四角箱状のベース部９１と、ベース部９１上に設けられた支持部９２とを備える。ベース部９１と支持部９２とはいずれも鋼板よりなり、互いに溶接固定されることで一体化されている。また、ベース部９１と支持部９２とはいずれも既設のブラケット１６よりも肉厚が大きくされており、これにより、補強用ブラケット９０は既設のブラケット１６よりも高強度に形成されている。
【００８３】
ベース部９１は一側面が開放された箱状をなしており、火打ち金物８０の上面に載置された底板部９１ａと、その底板部９１ａの上方に配置され当該底板部９１ａと上下に対向する上板部９１ｂとを有する。底板部９１ａは、火打ち金物８０（詳細にはその上フランジ部８０ｂ）の上面にボルト９４及びナット９５を用いて固定されている。上板部９１ｂは、隅木フレーム材５９の傾斜に応じて傾斜しており、その上板部９１ｂ上に支持部９２が固定されている。
【００８４】
支持部９２はコ字状断面を有して形成されている。支持部９２は、その溝部を上側に向け、かつ、溝部の延びる方向を隅木フレーム材５９の長手方向に向けた状態で上板部９１ｂ上に固定されている。支持部９２の溝部には、隣り合う軒側屋根パネル５２の隣接する各隅木フレーム材５９がそれぞれ配設されている。それら各隅木フレーム材５９は、支持部９２の底板部９２ａ上に載置されており、その載置状態でビス９３により底板部９２ａに固定されている。これにより、補強用ブラケット９０上に各隅木フレーム材５９が支持されている。
【００８５】
このように、軒側屋根パネル５２の各隅木フレーム材５９が既設のブラケット１６に加え増設された補強用ブラケット９０に支持されることで、ブラケット１６，９０による軒側屋根パネル５２（ひいては傾斜屋根部３３ａ，３３ｂ）の支持強度が高められている。
【００８６】
次に、既設された建物１０に対して上述したブラケット補強構造を構築する際の作業手順について説明する。まず、軒側屋根パネル５１においてその垂木フレーム材５５を支持する既設のブラケット１６を補強用ブラケット７５に交換し第１ブラケット補強構造を構築する際の作業手順について説明する。図１６は、かかる作業手順を説明するための説明図である。
【００８７】
まず図１６（ａ）に示すように、軒側屋根パネル５１の垂木フレーム材５５の下方を跨ぐようにして、二階部分の建物ユニット２０における複数の天井小梁２５上に長尺状のジャッキ装置設置用治具１００を架け渡す治具架け渡し工程を行う（図１６（ｄ）も参照）。ジャッキ装置設置用治具１００は、後述するジャッキ装置設置工程においてジャッキ装置１０２を設置するために用いられる治具であり、四角筒状の角形鋼管により構成されている。本実施形態では、ジャッキ装置設置用治具１００を各天井小梁２５上にただ架け渡すだけとしており、当該治具１００を各天井小梁２５にボルト等の締結具を用いて固定してはいない。但し、ジャッキ装置設置用治具１００を各天井小梁２５に締結具を用いて固定してもよい。
【００８８】
なお、ジャッキ装置設置用治具１００は必ずしも角形鋼管により構成する必要はなく、角形のパイプ等他の長尺部材を用いて構成してもよい。要するに、ジャッキ装置１０２を設置することができればその構成は任意である。
【００８９】
次に、図１６（ｂ）に示すように、軒側屋根パネル５１Ａにおいてパネル両端部に配置された一対の垂木フレーム材５５の下面に跨がるように屋根側治具７０を配置し、その配置状態で屋根側治具７０をそれら各垂木フレーム材５５にそれぞれ取り付ける屋根側治具取付工程を行う。この工程では、屋根側治具７０をボルト７８及びナット７９を用いて各垂木フレーム材５５にそれぞれ固定する。また、屋根側治具７０はジャッキ装置設置用治具１００と上下に対向する位置（詳しくは治具１００の真上）に配置される（図１６（ｄ）も参照）。また、屋根側治具７０は、その両端部をそれぞれ軒側屋根パネル５１Ａから側方にはみ出させ、それら各はみ出し部を当該屋根パネル５１Ａと隣接する各軒側屋根パネル５１の垂木フレーム材５５（の下面）に当接（又は対向）させた状態で配置される。
【００９０】
次に、図１６（ｃ）に示すように、ジャッキ装置設置用治具１００の上にジャッキ装置１０２を設置するジャッキ装置設置工程を行う。ジャッキ装置１０２は、例えば油圧式のジャッキ装置として構成されている。ジャッキ装置１０２は、ジャッキ装置設置用治具１００上に載置された本体部１０３と、油圧により本体部１０３に対し昇降可能なラム１０４（昇降部）とを有する。ラム１０４の上端部には突き上げ部１０４ａが設けられており、この突き上げ部１０４ａにより屋根側治具７０の下面に押し上げ力を付与する構成となっている。また本工程では、図１６（ｄ）に示すように、ジャッキ装置１０２をジャッキ装置設置用治具１００上において屋根側治具７０の補強部７２の真下位置に配置する。
【００９１】
次に、軒側屋根パネル５１Ａと、当該パネル５１Ａに隣接する各屋根パネル５１，４１とを互いに連結する連結ボルトを取り外し、それら各パネル５１Ａ，５１，４１間の連結を解除するパネル連結解除工程を行う。また、ブラケット１６上に垂木フレーム材５５を固定しているボルト４７及びナット４８を取り外すことで垂木フレーム材５５をブラケット１６から取り外す垂木フレーム材取り外し工程を行う。
【００９２】
次に、図１６（ｅ）に示すように、ジャッキ装置１０２により屋根側治具７０に持ち上げ力を付与することで、屋根側治具７０に取り付けられた各垂木フレーム材５５を持ち上げる持ち上げ工程を行う。この工程では、ジャッキ装置１０２のラム１０４を上昇させて、ラム１０４の突き上げ部１０４ａにより屋根側治具７０（横板部７０ｃ）の下面に押し上げ力を付与する。なお、このとき、屋根側治具７０において補強部７２に押し上げ力が付与される。これにより、各垂木フレーム材５５がそれぞれブラケット１６上から持ち上げられる。
【００９３】
具体的にはこの場合、屋根側治具７０に持ち上げ力が付与されることで、当該治具７０が取り付けられた各垂木フレーム材５５（すなわち、軒側屋根パネル５１Ａのパネル両端部の各垂木フレーム材５５）が持ち上げられるだけでなく、屋根側治具７０の同パネル５１Ａからのはみ出し部分が当接（対向）されている隣接屋根パネル５１の垂木フレーム材５５も同様に持ち上げられる。すなわち、この場合、ブラケット１６上に隣接状態で配置（支持）されている各垂木フレーム材５５がそれぞれ持ち上げられる。
【００９４】
各垂木フレーム材５５がそれぞれブラケット１６から上方に持ち上げられたら、その持ち上げ状態でラム１０４の上昇を停止させる。これにより、各垂木フレーム材５５がそれぞれブラケット１６上から持ち上げられた状態で保持される。
【００９５】
次に、図１６（ｆ）に示すように、各垂木フレーム材５５が持ち上げられた状態で、天井大梁２２から既設のブラケット１６を取り外すブラケット取り外し工程と、ブラケット１６を取り外した後、補強用ブラケット７５を天井大梁２２上に取り付けるブラケット取付工程とを行う。ブラケット取り外し工程では、ボルト４４及びナット４５を取り外すことでブラケット１６を天井大梁２２から取り外す。ブラケット取付工程では、天井大梁２２上において既設のブラケット１６が取り付けられていた位置に補強用ブラケット７５を取り付ける。この取り付けはボルト４４及びナット４５を用いて行う。これにより、既設のブラケット１６が補強用ブラケット７５に置き換えられる（交換される）。
【００９６】
次に、図１６（ｇ）に示すように、ジャッキ装置１０２により持ち上げられている各垂木フレーム材５５をジャッキ装置１０２を用いて下降させることで補強用ブラケット７５上に載置させ、その載置状態で各垂木フレーム材５５を補強用ブラケット７５上に固定する垂木フレーム材固定工程を行う。この工程では、ジャッキ装置１０２のラム１０４を下降させることにより、突き上げ部１０４ａ上に支持されている屋根側治具７０ひいては各垂木フレーム材５５（さらには軒側屋根パネル５１）を下降させる。そして、垂木フレーム材５５を補強用ブラケット７５（支持板部７５ｂ）上に載置したら、垂木フレーム材５５を支持板部７５ｂにボルト４７及びナット４８を用いて固定する。
【００９７】
その後、後工程として、軒側屋根パネル５１Ａと、当該パネル５１Ａに隣接する各屋根パネル５１，４１とを連結ボルトを用いて連結する等の作業を行う。これにより、一連の作業が終了する。
【００９８】
次に、軒側屋根パネル５２においてその隅木フレーム材５９を支持するブラケット９０を増設し第２ブラケット補強構造を構築する際の作業手順について説明する。なお、図１７はかかる作業手順を説明するための説明図である。
【００９９】
まず１７（ａ）に示すように、二階部分の建物ユニット２０において出隅部７７を挟んで隣り合う２つの天井大梁２２上にジャッキ装置設置用治具１００を斜めに架け渡して設置する治具架け渡し工程を行う。この場合、ジャッキ装置設置用治具１００は、隣り合う軒側屋根パネル５２の隣接する各隅木フレーム材５９の下方を跨ぐように配置される。なお、図１７（ａ）では、便宜上、軒側屋根パネル５２のうち隅木フレーム材５９のみを二点鎖線で示している（図１７（ｂ）及び（ｄ）も同様）。また、ジャッキ装置設置用治具１００は、上述した第１ブラケット補強構造を構築する際に用いたものと同じものを用いており、当該治具１００の流用を図っている。
【０１００】
次に、図１７（ｂ）に示すように、出隅部７７を挟んで隣り合う２つの天井大梁２２上に火打ち金物８０を斜めに架け渡す火打ち金物架け渡し工程を行う。この工程では、火打ち金物８０をジャッキ装置設置用治具１００よりも出隅部７７寄りの位置で各天井大梁２２間に架け渡す。
【０１０１】
次に、天井大梁２２間に架け渡した火打ち金物８０を各天井大梁２２に固定する火打ち金物固定工程を行う。この工程では、図１７（ｃ）に示すように、挟み込み部材８３を、その当接板部８３ｄと火打ち金物８０の端部プレート８１（詳しくは延出部８１ａ）との間に天井大梁２２のウェブ部２２ａを挟み込むようにして配置し、その配置状態において固定板部８３ａを火打ち金物８０の下面にボルト８８及び８９を用いて固定する。これにより、火打ち金物８０が各天井大梁２２に固定される。
【０１０２】
次に、図１７（ｄ）に示すように、ジャッキ装置設置用治具１００上において隣り合う軒側屋根パネル５２の隣接する各隅木フレーム材５９の下方位置にジャッキ装置１０２を設置するジャッキ装置設置工程を行う。
【０１０３】
次に、隣り合う各軒側屋根パネル５２を連結する連結ボルトを取り外すとともに、それら各軒側屋根パネル５２とそれに隣接する軒側屋根パネル５１とを連結する連結ボルトを取り外すことで、各パネル５１，５２間の連結を解除するパネル連結解除工程を行う。また、ブラケット１６上に隅木フレーム材５９を固定しているボルト及びナットを取り外すことで隅木フレーム材５９をブラケット１６から取り外す隅木フレーム材取り外し工程を行う。
【０１０４】
次に、ジャッキ装置１０２により隣り合う軒側屋根パネル５２の隣接する各隅木フレーム材５９を持ち上げる持ち上げ工程を行う。
【０１０５】
次に、図１７（ｅ）に示すように、ジャッキ装置１０２により各隅木フレーム材５９が持ち上げられている状態で、火打ち金物８０上における各隅木フレーム材５９の下方位置に補強用ブラケット９０を取り付けるブラケット取付工程を行う。この工程では、補強用ブラケット９０のベース部９１をボルト９４及びナット９５を用いて火打ち金物８０上に固定する。
【０１０６】
次に、図１７（ｆ）に示すように、ジャッキ装置１０２により持ち上げられている各隅木フレーム材５９をジャッキ装置１０２を用いて下降させることで各隅木フレーム材５９を補強用ブラケット９０上に載置させ、その載置状態で各隅木フレーム材５９を補強用ブラケット９０に固定する隅木フレーム材固定工程を行う。この工程では、各隅木フレーム材５９をそれぞれ補強用ブラケット９０の支持部９２の溝部に配設して底板部９２ａ上に載置させ、その載置状態で各隅木フレーム材５９を支持部９２に対しビスにより固定する。
【０１０７】
その後、後工程として、隣り合う軒側屋根パネル５２同士を連結ボルトを用いて連結したり、各軒側屋根パネル５２とそれに隣接する屋根パネル５１，４１とを連結ボルトを用いて連結したりする等の作業を行う。これにより、一連の作業が終了する。
【０１０８】
以上、詳述した本実施形態の構成によれば、以下の優れた効果が得られる。
【０１０９】
軒側屋根パネル５１の垂木フレーム材５５の下方を跨ぐようにして、建物本体１２（二階部分の建物ユニット２０）の複数の天井小梁２５上に長尺状のジャッキ装置設置用治具１００を架け渡し、その治具１００上にジャッキ装置１０２を設置し、そのジャッキ装置１０２により垂木フレーム材５５を持ち上げた。そして、その垂木フレーム材５５の持ち上げ状態で、既設のブラケット１６を天井大梁２２上から取り外し、補強用ブラケット７５を同大梁２２上に取り付けた。かかる構成によれば、クレーン等の大型機器と比べ小型であるジャッキ装置１０２を用いて垂木フレーム材５５の持ち上げを行うことができるため、比較的簡単に既設のブラケット１６を補強用ブラケット７５に交換する作業（すなわちブラケットの補強作業）を行うことができる。
【０１１０】
また、天井小梁２５上に直接ジャッキ装置１０２を設置して、ジャッキ装置１０２による垂木フレーム材５５の持ち上げを行うことも考えられるが、この場合、垂木フレーム材５５の真下位置に天井小梁２５が存在しない場合には垂木フレーム材５５の持ち上げを行うことができない。この点、ジャッキ装置設置用治具１００上にジャッキ装置１０２を設置して垂木フレーム材５５の持ち上げを行う上記の構成では、垂木フレーム材５５の真下位置に天井小梁２５が存在していなくても、ジャッキ装置１０２による垂木フレーム材５５の持ち上げを行うことができる。
【０１１１】
また、ジャッキ装置１０２を天井小梁２５上に支持する構成では、ジャッキ装置１０２により軒側屋根パネル５１を持ち上げている状態において、同パネル５１（及びジャッキ装置１０２）の荷重が天井小梁２５に伝わることとなる。そのため、その荷重によって天井小梁２５に曲げ変形等の変形が生じるおそれがある。この点、複数の天井小梁２５上にジャッキ装置設置用治具１００を架け渡し、当該治具１００上にジャッキ装置１０２を設置した上記の構成によれば、軒側屋根パネル５１の持ち上げ状態において同パネル５１の荷重がジャッキ装置設置用治具１００を介して複数の天井小梁２５に分散されて伝達されるため、一の天井小梁２５に伝達される荷重を小さくすることができる。そのため、当該荷重によって天井小梁２５が変形する不都合を抑制することができる。
【０１１２】
ジャッキ装置設置用治具１００と上下に対向するように長尺状の屋根側治具７０を複数の垂木フレーム材５５の下面に跨がって配置し、その配置状態で屋根側治具７０をそれら各垂木フレーム材５５にそれぞれ取り付けた。そして、ジャッキ装置設置用治具１００上において屋根側治具７０の下方位置にジャッキ装置１０２を設置し、同装置１０２により屋根側治具７０に押し上げ力を付与することで各垂木フレーム材５５をそれぞれ持ち上げた。この場合、ジャッキ装置１０２により垂木フレーム材５５に直接押し上げ力を付与して同フレーム材５５を持ち上げる場合とは異なり、ジャッキ装置１０２を垂木フレーム材５５の真下に配置する必要がない。そのため、ジャッキ装置１０２により垂木フレーム材５５を持ち上げた状態で、建物本体１２上における垂木フレーム材５５の下方位置に補強用ブラケット７５を取り付ける際、ジャッキ装置１０２が取付作業の邪魔となるのを抑制することができる。そのため、補強用ブラケット７５の取付作業を好適に行うことが可能となる。
【０１１３】
また、この場合、ジャッキ装置１０２による一度の持ち上げで複数の垂木フレーム材５５を同時に持ち上げることができるため、一度の持ち上げで複数の垂木フレーム材５５に対して補強用ブラケット７５を設置することができる。そのため、ブラケット補強作業の効率化を図ることができる。
【０１１４】
屋根側治具７０の長手方向の一部に補強部７２を設け、ジャッキ装置１０２により屋根側治具７０に押し上げ力を付与する際には、その補強部７２に対し押し上げ力を付与するようにした。この場合、ジャッキ装置１０２による押し上げ時に屋根側治具７０が曲がる等の変形が生じるのを抑制することができる。
【０１１５】
また、屋根側治具７０全体を高強度（補強部）にすることによっても、かかる効果を得ることは可能であるが、その場合屋根側治具７０の重量が増大してしまい、屋根側治具７０の取り扱いが困難となるおそれがある。特に、屋根側治具７０は屋根裏に持ち運ばれて用いられるものであるため、重量が大きいと屋根裏への持ち運びが大変となる。この点屋根側治具７０の一部にのみ補強部７２を設けた上記構成によれば、かかる不都合を回避しながら上述の効果を得ることができる。
【０１１６】
既設のブラケット１６から補強用ブラケット７５への交換作業が終了した後も、屋根側治具７０を軒側屋根パネル５１の垂木フレーム材５５から取り外さずに当該フレーム材５５に組み付けたままとした。これにより、屋根側治具７０を軒側屋根パネル５１を補強する補強部材としても兼用することができ、屋根側治具７０の有効利用を図ることができる
出隅部７７から互いに直交する方向に延びる２つの天井大梁２２上に、ジャッキ装置設置用治具１００を斜めに架け渡し、同治具１００上において軒側屋根パネル５２の隅木フレーム材５９の真下位置にジャッキ装置１０２を設置し、そのジャッキ装置１０２により隅木フレーム材５９に押し上げ力を付与することで当該隅木フレーム材５９を持ち上げた。隅木フレーム材５９は、屋根部１３の隅棟１９に沿って延びる部材であるため、建物本体１２の外周部（例えば天井大梁２２）に対しては斜めに延びている。そのため、ジャッキ装置設置用治具１００を直交する天井大梁２２間に斜めに架け渡しジャッキ装置１０２を設置する上記の構成は、隅木フレーム材５９をジャッキ装置１０２で持ち上げるにあたって都合の好い構成といえる。
【０１１７】
長尺状の火打ち金物８０を出隅部７７から互いに直交して延びる２つの天井大梁２２上に斜めに架け渡して設置し、その火打ち金物８０上における隅木フレーム材５９の下方位置に補強用ブラケット９０を増設し取り付けた。この場合、隅木フレーム材５９を既設のブラケット１６と、増設された補強用ブラケット９０との双方により支持することができるため、屋根部１３の隅棟部分において屋根部１３に生じる水平力に対する抵抗力を高めることができる。
【０１１８】
また、火打ち金物８０を、ジャッキ装置設置用治具１００の架け渡し位置よりも出隅部７７寄りの位置において天井大梁２２間に架け渡すようにしたため、火打ち金物８０上において補強用ブラケット９０を建物本体１２の外周部付近に配置することができる。そのため、屋根部１３に生じる水平力に対する抵抗力を好適に発揮することができる。
【０１１９】
また、火打ち金物８０を各天井大梁２２間に設置したことによる補強効果も期待することができる。
【０１２０】
火打ち金物８０を天井大梁２２に固定するにあたっては、挟み込み部材８３を、その当接板部８３ｄと火打ち金物８０の端部プレート８１（詳細には延出部８１ａ）との間に天井大梁２２（詳細にはウェブ部２２ａ）を挟み込むようにして配置し、その配置状態で固定板部８３ａを火打ち金物８０の下面にボルト８８及びナット８９を用いて連結することで固定するようにした。この場合、火打ち金物８０を天井大梁２２に直接釘等の締結具を打ち込む等して固定する場合とは異なり、天井大梁２２に損傷を与えることなく火打ち金物８０を天井大梁２２に固定することができる。そのため、火打ち金物８０を事後的に取り付ける上で好ましい構成といえる。
【０１２１】
本発明は上記実施形態に限らず、例えば次のように実施されてもよい。
【０１２２】
（１）上記実施形態では、垂木フレーム材５５をジャッキ装置１０２により持ち上げる際、屋根側治具７０を用いて持ち上げるようにしたが、垂木フレーム材５５の持ち上げに際し屋根側治具７０を必ずしも用いる必要はない。つまり、ジャッキ装置１０２をジャッキ装置設置用治具１００上において垂木フレーム材５５の真下位置に設置し、当該垂木フレーム材５５をジャッキ装置１０２により直接持ち上げるようにしてもよい。
【０１２３】
（２）既設のブラケット１６を補強用ブラケット７５に交換する作業が終わった後、屋根側治具７０を垂木フレーム材５５から取り外すようにしてもよい。そうすれば、屋根側治具７０を、屋根部１３における他の垂木フレーム材５５の持ち上げに用いる等、屋根側治具７０の再利用を図ることが可能となる。
【０１２４】
（３）ジャッキ装置１０２により屋根側治具７０を介して各垂木フレーム材５５が持ち上げられている状態では、軒側屋根パネル５１のすべての垂木フレーム材５５が持ち上げている。そこで、それら各垂木フレーム材５５のうち中間に配置されている垂木フレーム材５５に対して補強用ブラケット７５を増設してもよい。その場合にも、ブラケットによる軒側屋根パネル５１の支持強度を高めることが可能となる。
【０１２５】
（４）上記実施形態では、軒側屋根パネル５２の隅木フレーム材５９をジャッキ装置１０２により持ち上げている状態で、隅木フレーム材５９に対して補強用ブラケット９０を増設したが、これに代えて又は加えて、既設のブラケット１６を補強用ブラケットと置き換えてもよい。
【０１２６】
（５）上記実施形態では、補強用ブラケット９０を既設のブラケット１６よりも高強度に形成したが、補強用ブラケット９０を既設のブラケット１６と同強度又はそれよりも低い強度で形成してもよい。その場合でも、軒側屋根パネル５２の隅木フレーム材５９が既設のブラケット１６と補強用ブラケット９０との双方によって支持されるため、ブラケットによる軒側屋根パネル５２の支持強度を高めることが可能となる。
【０１２７】
（６）上記実施形態では、屋根部１３上へのソーラパネル３７の後付けに伴い、本発明の補強方法を用いたブラケットの補強を行ったが、その他の場合にかかる補強を行ってもよい。例えば、屋根部１３上に葺かれた瓦が重量の大きいものへ葺き代えられる場合にも、屋根部１３の重量が増大することが想定され、その場合にその葺き代えと併せて本発明のブラケット補強方法を適用してもよい。かかる場合には、ソーラパネル３７が後付け設置される場合とは異なって、屋根部１３全体の重量が増大することとなるため、屋根部１３全域にてブラケット補強を行うことが望ましい。
【０１２８】
（７）上記実施形態では、寄棟式の屋根に対して本発明を適用したが、切妻屋根や片流れ屋根などその他の形状の屋根に本発明を適用してもよい。すなわち、他の形状の屋根であっても、屋根パネルが並設されることにより構成される屋根では、軒側の屋根パネルが建物本体の外周部上に設けられたブラケットによって支持されるため、本発明のブラケット補強方法を適用することができる。
【０１２９】
（８）上記実施形態では、ユニット式建物への適用例を説明したが、鉄骨軸組工法により構築される建物や、在来木造工法により構築される建物等、他の構造の建物に適用してもよい。要するに、ブラケットにより軒側屋根パネルが支持されている構成であれば、本発明を適用することが可能である。
【符号の説明】
【０１３０】
１０…建物、１２…建物本体、１３…屋根部、１６…ブラケット、１９…隅棟、２０…建物ユニット、２２…上梁としての天井大梁、２５…上梁としての天井小梁、２９…軒先、３４…軒部、４０…屋内側屋根パネル、５０…軒側屋根パネル、５１…軒側屋根パネル、５２…隅部軒側屋根パネルとしての軒側屋根パネル、５４…野地板、５５…傾斜フレーム材としての垂木フレーム材、５７…野地板、５８…傾斜フレーム材としての垂木フレーム材、５９…傾斜フレーム材としての隅木フレーム材、７０…屋根側治具、７２…補強部、７５…補強用ブラケット、８０…火打ち金物、８３…挟み込み部材、８８…締結具としてのボルト、８９…締結具としてのナット、９０…補強用ブラケット、１００…ジャッキ装置設置用治具、１０２…ジャッキ装置。
【図１】
2014034812.tif 000003
【図２】
2014034812.tif 000004
【図３】
2014034812.tif 000005
【図４】
2014034812.tif 000006
【図５】
2014034812.tif 000007
【図６】
2014034812.tif 000008
【図７】
2014034812.tif 000009
【図８】
2014034812.tif 000010
【図９】
2014034812.tif 000011
【図１０】
2014034812.tif 000012
【図１１】
2014034812.tif 000013
【図１２】
2014034812.tif 000014
【図１３】
2014034812.tif 000015
【図１４】
2014034812.tif 000016
【図１５】
2014034812.tif 000017
【図１６】
2014034812.tif 000018
【図１７】
2014034812.tif 000019